(57)【特許請求の範囲】
【請求項１】
対向する天面板と底面板、及び、対向する前面板と後面板が筒状の胴部を形成し、
前記底面板の左右中央に直線状の折罫兼易切断線を設け、前記前面板と後面板の左右中間部分にそれぞれ縦方向の縦易切断線を前記折罫兼易切断線に連続するように設け、天面板には易切断線で囲まれた切り取り部を設け、
前記切り取り部は、前面板と後面板の前記縦易切断線に接続し、前記前面板寄りで左右の一方が広く、他方が狭くなるように形成され、前記後面板寄りが左右の他方が広く、一方が狭くなるように形成され、
前記折罫兼易切断線の左右に、前記前面板側と後面板側を仕切る仕切り板がそれぞれ設置され、
前記仕切り板に、前記天面板に沿って、前記切り取り部が狭く形成された部分を更に狭めるように、ストッパー部が連設されていることを特徴とするカートン。
【請求項２】
前記天面板の左側に左面板と左差し込み片を順次連設し、右側に右面板と右差し込み片を順次連設し、前記左差し込み片と右差し込み片を底面板の内面に、それぞれ、差し込んだ状態で係止する係止機構を設けたことを特徴とする請求項１に記載のカートン。
【請求項３】
前記前面板と後面板の左右にそれぞれ前側フラップと後側フラップを設け、前記前側フラップと後側フラップが互いに固定されるように、固定機構を設けたことを特徴とする請求項１または２に記載のカートン。
【発明の詳細な説明】
【技術分野】
【０００１】
本発明は、カートンに関するものである。
【背景技術】
【０００２】
スティック包装により個装された商品を、複数収納したカートンがある。このような包装形態は、インスタントコーヒーや砂糖、コーヒーフレッシュなどの紛粒体や、シロップなどの液体などの流動性のある商品に用いられている。
【０００３】
このようなカートンにはサック箱が多く使用され、収納されたスティック包装された商品を取り出すには、一端に設けられた蓋を開けて、取り出すようにしている。これでは使用するたびにカートンを持って、蓋を開け取り出す必要が有る。
【０００４】
スティック包装された商品のような棒状の商品を、頻繁に取り出し使用する場合、カートンを持ったり蓋をあけたりすることなく、また、容易に取り出せる様にすることが望まれていた。取り出しやすくするためには、スティック包装された商品のような棒状の商品が立てた状態で、上部がカートンから外に露出していれば取り出しやすく好ましい。このため、カートンを二つ折りして、二つ折りして開口した開口部から立てた状態の商品が、露出しているようにすることが考えられる。
【０００５】
二つ折りできるようにしたカートンは以前からある。例えば、特許文献１の「筆立に転用し得る紙製容器」がある。これは、筒状の胴部の３面に渡る切り取り部を設け、他の１面に折罫を設けて、容器を使用した後に、切り取り部を切り取り、折罫で二つ折りして収納部を２つに分け、収納部の開口された部分を上にして置き、筆立に転用できるようにしたものである。
【０００６】
また、特許文献２の「装弾函」は、カートンの筒状の胴部の３面に、周方向に連続したミシン目を設けて、銃弾を二列収納し、弾丸を使用するときは、ミシン目を切断して、切断したミシン目の両端を結ぶ線で、残りの１面を二つ折りして収納部を２つに分け、それぞれの収納部に一列ずつ入った弾丸を、上にした開口部から取り出しやすくしている。
【０００７】
特許文献１の「筆立に転用し得る紙製容器」を、スティック包装された商品のような棒状の商品に使用すると、一端、全部の商品を取り出して、カートンを二つ折りして再度商品を上から差し込まなければならない。
【０００８】
また、特許文献２の「装弾函」を転用して、棒状の商品を収納するカートンとし、弾丸のように２列入れると、商品の上部が開口部より上に出ることがなく、つまみにくく、胴部の長さの商品を１列入れると、一端全部出して、二つ折りした後、また、入れ直す必要がある。
【０００９】
公知文献を以下に示す。
【先行技術文献】
【特許文献】
【００１０】
【特許文献１】実公昭３４−１３１８０号公報
【特許文献２】実公昭３５−３３７００号公報
【発明の概要】
【発明が解決しようとする課題】
【００１１】
本発明は上記のような事情に鑑みてなされたもので、複数のスティック包装された商品のような棒状の商品を収納し、収納したまま二つ折りすることで、棒状の内容物が立った状態で露出され、取り出しやすくなるカートンを提供することを課題とする。
【課題を解決するための手段】
【００１２】
本発明は係る課題に鑑みなされたものであり、請求項１の発明は、対向する天面板と底面板、及び、対向する前面板と後面板が筒状の胴部を形成し、
前記底面板の左右中央に直線状の折罫兼易切断線を設け、前記前面板と後面板の左右中間部分にそれぞれ縦方向の縦易切断線を前記折罫兼易切断線に連続するように設け、天面板には易切断線で囲まれた切り取り部を設け、
前記切り取り部は、前面板と後面板の前記縦易切断線に接続し、前記前面板寄りで左右の
一方が広く、他方が狭くなるように形成され、前記後面板寄りが左右の他方が広く、一方が狭くなるように形成され、
前記折罫兼易切断線の左右に、前記前面板側と後面板側を仕切る仕切り板がそれぞれ設置され、
前記仕切り板に、前記天面板に沿って、前記切り取り部が狭く形成された部分を更に狭めるように、ストッパー部が連設されていることを特徴とするカートンである。
【００１３】
本発明のカートンは、以上のような構成であって、棒状の商品をその長手方向が前後方向になるように収納させ包装すると、切り取り部を切り取って除去し、縦易切断線を切断して、略水平にして、折罫兼易切断線で二つ折りすると、切り取り部の狭く、天面板が多く残っている部分に商品が残り、立った状態で上部が露出するので、商品が取り出しやすくなる。
【００１４】
本発明の請求項２の発明は、前記天面板の左側に左面板と左差し込み片を順次連設し、右側に右面板と右差し込み片を順次連設し、前記左差し込み片と右差し込み片を底面板の内面に差し込んだ状態で係止する係止機構を設けたことを特徴とする請求項１に記載のカートンである。
【００１５】
本発明は、天面板の左右に設けた左右の面板に差し込み片が連設され、差し込み片を底面板の内面に差し込んだ状態で係止することができるので、二つ折りしたときにも、左右の面板が抜けることがなく、しっかりと形状が維持される。
【００１６】
本発明の請求項３の発明は、前記前面板と後面板の左右にそれぞれ前側フラップと後側フラップを設け、前記前側フラップと後側フラップが互いに固定されるように、固定機構を設けたことを特徴とする請求項１または２に記載のカートンである。
【００１７】
本発明は、前側フラップと後側フラップが互いに固定されるようになっているので、二つ折りしたときにも、前面板や後面板が外側に倒れることがなく固定され、しっかりと形状が維持される。
【００１９】
本発明は、折罫兼易切断線の左右にそれぞれ、前記前面板側と後面板側を仕切る仕切り板を設けているので、収納した棒状の商品が２つに別れ、一方に片寄ることがなく、また、二つ折りしたときに、商品が倒れることがない。
【００２１】
本発明は、仕切り板にストッパー部が連設されているので、二つ折りしたときに、切り取り部を切り取って残った天面板が低くなっていても、倒れにくい。
【発明の効果】
【００２２】
本発明のカートンは、複数のスティック包装された商品のような棒状の商品を収納し、収納したまま二つ折りすることで、棒状の内容物が立った状態で露出され、取り出しやすい。
【図面の簡単な説明】
【００２３】
【図１】本発明のカートンの一例を模式的に斜視で示した説明図である。
【図２】本発明のカートンの一例で天面板の切り取り部を取去った状態を模式的に斜視で示した説明図である。
【図３】本発明のカートンの一例で天面板の切り取り部を取去り２つ折りした状態を模式的に斜視で示した説明図である。
【図４】本発明のカートンの一例の仕切り板を模式的に斜視で示した説明図である。
【図５】本発明のカートンの一例に商品が収納され、二つ折りして開封した状態を模式的に斜視で示した説明図である。
【図６】本発明のカートンの一例を二つ折りして、折罫兼易切断線を切断し分離した状態を模式的に斜視で示した説明図である。
【図７】本発明のカートンの一例のブランクを模式的に示した説明図である。
【図８】（ａ）（ｂ）本発明のカートンの一例を組み立てる方法を説明する模式図である。
【図９】本発明のカートンの一例の仕切り板のブランクを模式的に示した説明図である。
【図１０】本発明のカートンの一例を組み立てる方法を説明する模式図である。
【図１１】本発明のカートンの他の例を模式的に示した説明図である。
【発明を実施するための形態】
【００２４】
以下、本発明を実施するための形態について説明する。
図１は、本発明のカートンの一例を模式的に斜視で示した説明図、図２は、本発明のカートンの一例で天面板の切り取り部を取去った状態を模式的に斜視で示した説明図、図３は、本発明のカートンの一例で天面板の切り取り部を取去り２つ折りした状態を模式的に斜視で示した説明図、図４は、本発明のカートンの一例の仕切り板を模式的に斜視で示した説明図、図５は、本発明のカートンの一例に商品が収納され、二つ折りして開封した状態を模式的に斜視で示した説明図、図６は、本発明のカートンの一例を二つ折りして、折罫兼易切断線を切断し分離した状態を模式的に斜視で示した説明図である。
【００２５】
本例のカートン１００は、図１の斜視図、図２の切り取り部を取去った状態の斜視図に示すように、対向する天面板１と底面板２、及び、対向する前面板３と後面板４が筒状の胴部を形成している。
【００２６】
底面板２の左右中央に直線状の折罫兼易切断線５が設けられ、前面板３と後面板４の左右中間部分にそれぞれ縦方向の縦易切断線６、７が折罫兼易切断線５に連続するように設けられ、天面板１には易切断線で囲まれた切り取り部８が設けられている。
【００２７】
切り取り部８は、前面板３と後面板４の縦易切断線６、７に接続していて、前面板３寄りでは左側が広く、右側が狭くなるように形成され、後面板４寄りでは右側が広く、左側が狭くなるように形成されている。
【００２８】
また、天面板１の左側に左面板９と左差し込み片１０が順次連設され、右側に右面板１１と右差し込み片１２が順次連設されている。この左差し込み片１０と右差し込み片１２はそれぞれ、底面板２の内面に沿って差し込まれている。
【００２９】
カートン１００には、２つの仕切り板３０、３０が差し込まれている。仕切り板３０、３０は、折罫兼易切断線５の左右に設置され、仕切り板３０は、台座部３１と台座部３１の中央に直立する仕切り部３２が設けられ、更に、仕切り部３２より、天面板１に沿って、切り取り部８の狭く形成された部分を更に狭めるように、ストッパー部３３が連設されている。
【００３０】
図２の切り取り部８を切り取ったカートン１００の縦易切断線６、７を切断し、折罫兼易切断線５を折罫としてカートン１００を開くように二つ折りすると、図３のように、左面板９と右面板１１を下にして設置することができる。
【００３１】
このとき、仕切り板３０は、図４のように、仕切り板３０の台座部３１、仕切り部３２とストッパー部３３も垂直に立った状態となる。特にストッパー部３３は、天面板１に沿って、切り取り部８が狭く形成された部分を更に狭めるようになっている。
【００３２】
そのため、カートン１００の仕切り部３２、３２の前後に収納された棒状の商品２００は、切り取り部８が広く形成された部分側からは抜け出て、切り取り部８が狭く形成された部分側に残る。そして、図５のように、台座部３１、仕切り部３２とストッパー部３３や天面板１、及び、前面板３や後面板４で支えられ、立った状態になる。また、商品２００の上部が上に露出した状態になっているので、商品２００を取り出しやすくなる。
【００３３】
更に、折罫兼易切断線５を切断すると、図６のように、半分にすることができるので、別々にして置くこともできるし、商品２００が少なくなったときに、片方に商品２００を集め、他方を廃棄して、場所をとらないようにすることもできる。
【００３４】
以下、本実施形態のカートン１００の製造方法について説明する。
図７は、本発明のカートンの一例のブランクを模式的に示した説明図、図８（ａ）（ｂ）は、本発明のカートンの一例を組み立てる方法を説明する模式図、図９は、本発明のカートンの一例の仕切り板のブランクを模式的に示した説明図、図１０は、本発明のカートンの一例を組み立てる方法を説明する模式図、図１１は、本発明のカートンの他の例を模式的に示した説明図である。
【００３５】
本例のカートン１００は、厚紙などのシート状材料で製造される。このシート状材料を打ち抜き、折罫を設けて、図７に示すブランク１０１（図は外面側から見た図）を作成し、組み立ててカートン１００を製造する。
【００３６】
カートン１００のブランク１０１は、図７の上下中央に、左から前面板３、天面板１、後面板４、底面板２が連設され、更に右端に貼着板１３が設けられている。前面板３の上下には、左前側フラップ１４と右前側フラップ１５が設けられ、後面板４の上下には、左後側フラップ１６と右後側フラップ１７が設けられている。
【００３７】
左前側フラップ１４と右前側フラップ１５には、天面板１側から設けられた切れ込み１４ａ、１５ａが固定機構として設けられ、左後側フラップ１６と右後側フラップ１７には床面板２側から設けられた切れ込み１６ａ、１７ａが固定機構として設けられている。
【００３８】
また、天面板１の上端には、左面板９と左差し込み片１０が連設され、天面板１の下端には、右面板１１と右差し込み片１２が連設されている。また、左面板９と左差し込み片１０の境界の中間部分と、右面板１１と右差し込み片１２の境界の中間部分にそれぞれ、係止用切れ目２０、２１が設けられている。
【００３９】
床面板２には、上端部分と下端部分の左右中央に、それぞれ、係止用差込片１８、１９が設けられている。カートン１００を組み立てるときに、左面板９と右面板１１を内側に倒し、左差し込み片１０と右差し込み片１２を床面板２の内面に、それぞれ差し込んだ状態で、係止用差込片１８、１９を、それぞれ係止用切れ目２０、２１に差し込んで、係止する係止機構となっている。
【００４０】
また、カートン１００を組み立てるときに、左前側フラップ１４と左後側フラップ１６を倒して、重ね合わせ、固定機構の切れ込み１４ａと切れ込み１６ａでそれぞれ相手側を挟み込むようにする。これにより右面板１１と左面板９の前面板３側が固定される。
【００４１】
同様に、右前側フラップ１５と右後側フラップ１７を倒して、重ね合わせ、固定機構の切れ込み１５ａと切れ込み１７ａをそれぞれ相手側に挟み込むようにする。これにより右面板１１と左面板９の後面板４側が固定される。
【００４２】
前面板３と後面板４には、図７では上下中央に横方向の縦易切断線６、７がそれぞれ設けられている。床面板２には、折罫兼易切断線５が同様に設けられている。縦易切断線６、７は折罫兼易切断線５より切断しやすくなっている。
【００４３】
例えば、縦易切断線６、７は、長い切れ目と短い繋ぎ部が交互に直線状に並んで形成され、折罫兼易切断線５は、縦易切断線６、７の切れ目より短い切れ目と短い繋ぎ部が交互に直線状に並んで形成されていたり、点状のミシン目で形成されていたりしている。このようになっているので、縦易切断線６、７を切断する際に、誤って折罫兼易切断線５まで切断してしまうことが防げる。
【００４４】
天面板１には易切断線で囲まれた切り取り部８が設けられている。切り取り部８の易切断線は、天面板１と前面板３の境界を上から縦易切断線６に至り、そこから右下に直線状に向かい左面板９との境界に至り、そこから右に後面板４に至るまで延びている。本例では、この部分が、切り取り開始部となるため、比較的長い切れ目で形成されている。
【００４５】
更に易切断線は後面板４との境界を上方に、縦易切断線７に至るまで進み、そこから左斜め上方に直線状に進み、右面板１１に至る。その後、右面板１１との境界を左に進み、前面板３の境界に至る。このようになっているので、切り取り部８は、前面板３寄りで左側が広く、右側が狭くなるように形成され、後面板４寄りでは右側が広く、左側が狭くなるように形成されている。
【００４６】
このブランク１０１からカートン１００を製函するには、まず、後面板４と床面板２の間の折罫を折って、更に、前面板３と天面板１の間の折罫を折る。そして、貼着板１３の外面と重なった前面板３の内面を貼着し、図８のように成形する。（ａ）は天面板１側を見た図、（ｂ）は床面板２側を見た図である。
【００４７】
尚、仕切り板３０も、厚紙などのシート状材料で製造される。このシート状材料を打ち抜き、折罫を設けて、図９に示すブランク３０ａ（図は外面側から見た図）を作成し、組み立てて仕切り板３０を製造する。
【００４８】
ブランク３０ａは、図の左右に台座部３１、３１が設けられ、台座部３１、３１の間に折罫を介して、仕切り部３２が設けられている。仕切り部３２の中間に折罫が設けられている。そして、この中間の折罫から一方に切れ目によって、ストッパー部３３が設けられている。
【００４９】
仕切り部３２の中間の折罫を山折りし続いて、台座部３１と仕切り部３２の間の折罫を谷折りする。また、ストッパー部３３を仕切り部３２から垂直に立ち上げる。これによって、図４のように、仕切り板３０が形成される。
【００５０】
貼着板１３と前面板３を貼着したカートンは、次に、前面板３、天面板１、後面板４、床面板２を角筒状に起こして、右前側フラップ１５と右後側フラップ１７を内方に倒し、固定機構の切れ込み１５ａと切れ込み１７ａをそれぞれ右後側フラップ１７、右前側フラップ１５に挟み込んで固定する。
【００５１】
そして、右面板１１を内方に倒して、右差し込み片１２を床面板２の内面側に差し込む。次に、係止用差込片１９を係止用切れ目２１に差し込んで係止する。この後、反対側の開いている左面板９側から仕切り板３０、３０を挿入する。仕切り板３０、３０の向きは、図２のようになるようにして挿入する。また、商品２００を仕切り部３２の面に沿って挿入し収納する。
【００５２】
左前側フラップ１４と左後側フラップ１６を内方に倒し、固定機構の切れ込み１４ａと切れ込み１６ａをそれぞれ左前側フラップ１４と左後側フラップ１６に挟み込んで固定する。これにより、図１０のように固定される。
【００５３】
そして、左面板９を内方に倒して、左差し込み片１０を床面板２の内面側に差し込む。次に、係止用差込片１８を係止用切れ目２０に差し込んで係止する。これにより、カートン１００は、図１のように製函される。
【００５４】
本例においては、切り取り部８を直線状の易開封線で設けたが、曲線や折れ線で設けてもよい。例えば、斜めに設けた易開封線を、図１１の切り取り部８´のように、曲線で設けてもよい。また、傾斜を逆にしてもよい。
【００５５】
カートン１００を開けるには、天面板１と左面板９との境界に設けた切れ目から上に剥がすように引っ張り、切り取り部８を取り除き、図２のように、開封する。次に、縦易切断線６、７を切断し、折罫兼易切断線５でカートンの中を開くように二つ折りする。このようにすると、カートン１００は図３のように開く。
【００５６】
カートン１００に複数の棒状の商品２００が収納されていれば、商品２００は、図５のように、仕切り板３０の台座部３１、仕切り部３２とストッパー部３３や天面板１、及び、前面板３や後面板４で支えられ、立った状態になる。また、商品２００の上部が上に露出した状態になる。そのため、商品２００を容易に取り出すことができる。
【００５７】
更に、折罫兼易切断線５を切断すると、図６のように、半分にすることができるので、別々にして置くこともできるし、商品２００が少なくなったときに、片方に商品２００を集め、他方を廃棄して、場所をとらないようにすることもできる。
【００５８】
以上のように、本発明のカートンは、複数収納したスティック包装された商品のような棒状の商品を包装するのに適していて、棒状の商品を収納したまま二つ折りすることで、棒状の内容物が立った状態で露出され、取り出しやすい。
【符号の説明】
【００５９】
１００・・・カートン
１０１・・・ブランク
２００・・・商品
１・・・天面板
２・・・底面板
３・・・前面板
４・・・後面板
５・・・折罫兼易切断線
６、７・・・縦易切断線
８、８´・・・切り取り部
９・・・左面板
１０・・・左差し込み片
１１・・・右面板
１２・・・右差し込み片
１３・・・貼着板
１４・・・左前側フラップ
１５・・・右前側フラップ
１６・・・左後側フラップ
１７・・・右後側フラップ
１４ａ、１５ａ、１６ａ、１７ａ・・・切れ込み
１８、１９・・・係止用差込片
２０、２１・・・係止用切れ目
３０・・・仕切り板
３１・・・台座部
３２・・・仕切り部
３３・・・ストッパー部
【図１】
0006699095.tif 000002
【図２】
0006699095.tif 000003
【図３】
0006699095.tif 000004
【図４】
0006699095.tif 000005
【図５】
0006699095.tif 000006
【図６】
0006699095.tif 000007
【図７】
0006699095.tif 000008
【図８】
0006699095.tif 000009
【図９】
0006699095.tif 000010
【図１０】
0006699095.tif 000011
【図１１】
0006699095.tif 000012